(57)【要約】【課題】例えばＹシャツの胸ポケットやＧパンの臀部ポケットなどに収容できる薄さと強度を持ち、そういったところやハンドバックなどに収容しても違和感をおこさせないようにした電子カメラを提供することが課題である。【解決手段】操作部の筐体を上下のカバーで構成し、そのカバーにおける一コーナー、または複数のコーナーに設けた基板支持部に支持されたメイン基板の一面にメモリスロットを、他面に偏平型の電池収納部を配し、前記メイン基板のメモリスロット側に前記表示装置を配すると共に電池収納部側の側部に前記撮像部の制御基板を配して薄型化を計った。【選択図】      図７
2005020470.tif 000002
【特許請求の範囲】
【請求項１】
表示装置を有した操作部と、該操作部にヒンジ機構によって回転可能に接続し、発光装置と撮影用ズームレンズを備えて前記表示装置に画像を送る撮像部とからなる電子カメラにおいて、
前記操作部は筐体を上下のカバーで構成し、該カバーにおける一コーナー、または複数のコーナーに設けた基板支持部に支持されたメイン基板の一面にメモリスロットを、他面に偏平型の電池収納部を配し、前記メイン基板のメモリスロット側に前記表示装置を配すると共に電池収納部側の側部に前記撮像部の制御基板を配して薄型化を図ったことを特徴とする電子カメラ。
【請求項２】
前記筐体を構成する上カバー、または下カバーのいずれか、または両者における略中央部に前記メイン基板を支える支柱を設け、筐体の撓みに対してメイン基板を遊動自在に支持したことを特徴とする請求項１に記載した電子カメラ。
【請求項３】
前記筐体を構成する上下カバーのどちらかに、撮像部における光学系光軸方向のリブを、また他方のカバーに光軸方向と直角方向のリブを設け、前記光軸方向リブと直角方向リブで前記メイン基板を挟んで遊動自在に支持したことを特徴とする請求項１に記載した電子カメラ。
【請求項４】
前記筐体を構成する上カバーにおける撮像部側に前記表示装置用の開口を設け、該表示装置用開口における操作部とは逆側に操作釦類を取り付けたことを特徴とする請求項１に記載した電子カメラ。
【請求項５】
前記操作部における操作釦類を、筐体平面から突出しないように構成したことを特徴とする請求項４に記載した電子カメラ。
【発明の詳細な説明】
【０００１】
【発明の属する技術分野】
本発明は、電子カメラに関し、特に薄型、軽量に構成した電子カメラに関するものである。
【０００２】
【従来の技術】
ＣＣＤなどの撮像素子を備え、画像をデジタル的に記録できるようにした電子カメラは、従来のフィルムを用いたカメラでは不可欠だった現像、焼き付けなどが不用で、撮った画像をすぐ見ることができ、しかもＣＣＤなどの撮像素子は、１素子当たりの画素数が年々増大しているにもかかわらず従来のフィルムよりも小さく、それによってカメラ自体を小型に、高精度に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感をおこさせない軽さで、しかも高倍率のズーム機構を備えた電子カメラの出現が望まれている。
【０００４】
しかしながらズームレンズは、通常複数のレンズ群で構成され、しかも、そのうちのいくつかのレンズ群を進退させさせることで所望の焦点距離を得るようにしている。そのため、旧来のフィルムを使用したカメラのようにカメラ本体から撮影レンズを突出させるようにした方式では、撮影時以外はレンズを本体内に収納する沈胴式にしたとしても、レンズ枚数の多さとレンズ群を前後させる機構の存在で、カメラ本体を一定以下の厚さにするのは困難である。
【０００５】
そのため、突出したレンズを電源オフ時にカメラ本体に収納する際、中間群のレンズを光軸外に移動させ、それによって薄型化を達成するようにしたカメラも出現しているが、このように中間レンズ群を移動させる方式は光学系の精度が悪化し、また中間レンズ群やレンズ鏡筒を電源オフによってカメラ本体に沈める方式そのものが、電源をオンしたときに撮影ができるようになるまで一定の時間を必要とするから、起動するまでの時間が長くなってシャッターチャンスを逃すという欠点がある。
【０００６】
そのため特許文献１、２に示されているように、表示装置を有した操作部にヒンジ機構などの回転機構で回転可能に接続した撮像部に、撮影レンズとファインダと発光装置などを配して撮影レンズを被写体方向に向けられるようにし、しかも、表示装置は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら表示装置を常時確認することが可能となる。
【０００７】
【特許文献１】
特開平１１−２６１８５９号公報（図１）
【特許文献２】
特開２００２−３２０１２０公報（図５）
【０００８】
【発明が解決しようとする課題】
しかしながら特許文献１、２に示されたカメラは、操作部における電池収納部が他の部分より厚く構成されてグリップ部となっており、Ｙシャツの胸ポケットやＧパンの臀部ポケットなどに収容した場合は違和感を感じさせてしまう。
【０００９】
そのため本発明においては、例えばＹシャツの胸ポケットやＧパンの臀部ポケットなどに収容できる薄さと強度を持ち、そういったところやハンドバックなどに収容しても違和感をおこさせないようにした電子カメラを提供することが課題である。
【００１０】
【課題を解決するための手段】
上記課題を解決するため本発明においては、
表示装置を有した操作部と、該操作部にヒンジ機構によって回転可能に接続し、発光装置と撮影用ズームレンズを備えて前記表示装置に画像を送る撮像部とからなる電子カメラにおいて、
前記操作部は筐体を上下のカバーで構成し、該カバーにおける一コーナー、または複数のコーナーに設けた基板支持部に支持されたメイン基板の一面にメモリスロットを、他面に偏平型の電池収納部を配し、前記メイン基板のメモリスロット側に前記表示装置を配すると共に電池収納部側の側部に前記撮像部の制御基板を配して薄型化を図ったことを特徴とする。
【００１１】
このように、電子カメラにおける操作部の筐体を上下のカバーで構成し、一面にメモリスロットを、他面に偏平型の電池収納部を配したメイン基板を、カバーにおける一コーナー、または複数のコーナーに設けた基板支持部で支持し、メイン基板のメモリスロット側に前記表示装置を配すると共に、電池収納部側の側部に前記撮像部の制御基板を配することにより、操作部は、表示装置、メモリスロットと電池収納部を表裏に配したメイン基板の厚さを加え合わせた厚さとすることができ、Ｙシャツの胸ポケットやＧパンの臀部ポケットなどに収容できる薄さを有した電子カメラを提供することができる。
【００１２】
また、前記筐体を構成する上カバー、または下カバーのいずれか、または両者における略中央部に前記メイン基板を支える支柱を設け、筐体の撓みに対してメイン基板を遊動自在に支持するようにしたから、例えば電子カメラを落下させるなどして筐体が一時的に変形してもメイン基板が変形することはなく、従って、メイン基板にＣＰＵなどを実装していてもそれらが剥離するといった事故は防止できる。
【００１３】
そして、前記筐体を構成する上下カバーのどちらかに、撮像部における光学系光軸方向のリブを、また他方のカバーに光軸方向と直角方向のリブを設け、前記光軸方向リブと直角方向リブで前記メイン基板を挟んで遊動自在に支持したことにより、例えば電子カメラを落下させるなどして筐体が一時的に変形してもメイン基板が変形することはなく、従って、メイン基板にＣＰＵなどを実装していてもそれらが剥離するといった事故は防止できる。
【００１４】
また、前記筐体を構成する上カバーにおける撮像部側に前記表示装置用の開口を設け、該表示装置用開口における操作部とは逆側に操作釦類を取り付けたことにより、例えば操作部を右手で保持したとき、表示装置を右手で遮ることなく操作釦類を操作することができる。
【００１５】
また、前記操作部における操作釦類を、筐体平面から突出しないように構成したことにより、前記したようにＹシャツの胸ポケットやＧパンの臀部ポケットなどに収容しても、操作釦類がこれらＹシャツの胸ポケットやＧパンの臀部ポケットなどにひっかかることなくスムーズに出し入れができる電子カメラを提供することができる。
【００１６】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１７】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図、図４は本発明になる電子カメラのレンズを被写体方向に向けた撮影するときのカメラのホールド状態を示した図である。
【００１８】
図中１００は本発明になる電子カメラ、１０１は撮像部、１０２は操作部、１０３は撮影レンズ窓、１０４はストロボなどの発光装置、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１９】
本発明になる電子カメラ１００は、図１乃至３に示したように、操作部１０２側に表示装置１０５と一般的な撮影用操作釦類１０６乃至１１３を配し、この操作部１０２にヒンジ機構で回転可能に接続された撮像部１０１の一端側には、撮影レンズ窓１０３、その操作部１０２側に発光装置１０４用の窓を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００２０】
そして本発明になる電子カメラ１００は、表示装置１０５を常時視認できるよう撮影者の方に向けたまま、図２に示したように撮像部１０１を被写体の方に向けたり、図３に示したように逆に回転させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置１０４用の窓側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置１０４の窓部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回転中心までの距離は、ヒンジ機構の回転中心から撮影レンズ窓１０３とは逆側の端までの距離より大きくとってある。
【００２１】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００２２】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像を内蔵したメモリに記録するようになっている。このようにして撮影をおこなうことにより、前記したように撮像部１０１における撮影レンズ窓１０３からヒンジ機構の回転中心までの距離は、ヒンジ機構の回転中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００２３】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２４】
次に操作部１０２の構成について説明する。図５は本発明になる電子カメラ１００の操作部１０２のカバーを取り除いて内部のデバイスの収容状態と、撮像部１０１における発光装置とコンデンサ、ＣＣＤなどの撮像デバイスなどを示した斜視図、図６は本発明になる電子カメラ１００の一実施形態における操作部１０２のカバーを取り除き、（Ａ）はさらに表示装置１０５を取り除いた斜視図、（Ｂ）は裏面から見た斜視図、図７は本発明になる電子カメラ１００の一実施形態における操作部１０２のカバーを取り除き、（Ａ）は図５における手前側から見た図、（Ｂ）は同じく図５における左サイドから見た図で、（Ｃ）はカバーを被せた状態でメイン基板３００の略中央に設けた孔３１１近辺を図７（Ｂ）と同じく図５における左サイドから見た一部断面図、図８は撮像部１０１と操作部１０２のヒンジ機構による接続部と下カバー３０８の構造を一部破断して示した図、図９は操作部１０２におけるメイン基板３００の支持部の構造を説明するための一部破断図である。
【００２５】
図中３００は電子カメラ１００における全体を制御するメイン基板、３０１は画像を記憶するメモリカードなどを収容するメモリスロット、３０２はバッテリー、３０３は撮像部１０１を制御するサブ基板、３０４はモード制御用フレキシブル基板、３０６はマイク、３０７は上カバー、３０８は下カバー、３０９、３１０は上カバー３０７と下カバー３０８に設けられたメイン基板３００を略中央で支えるための支柱、３１２は下カバー３０８の光軸方向に設けられた上下方向リブ（図８）、３１３は上カバー３０７の表示装置１０５用開口３１４における表示装置受け３１５部分に設けられた左右方向リブ、３２０は撮像部１０１側のＣＣＤなどの撮像素子、３２１は撮像部１０１側のストロボなどの発光装置、３２２は撮像部１０１側のストロボなどの発光装置用コンデンサ、３２３は撮像部１０１側のストロボなどの発光装置用プリント基板である。
【００２６】
本発明になる電子カメラ１００の操作部１０２は、図７（Ｃ）の断面図に示した上側カバー３０７に、前記図１に示したスピーカ１１４やシャッター釦１０６、電源釦１０７、選択決定キー１０８、ズームキー１０９、メニュー釦１１０、ディスプレイ釦１１１、シーン釦１１２、モードセレクト釦１１３などの操作釦類を取り付けると共に、図５に示した液晶などの表示装置１０５用の開口３１４を設け、この表示装置１０５周囲にモード制御用のフレキシブル基板３０４が配されている。そして、この表示装置１０５とモード制御用のフレキシブル基板３０４の下に、図６（Ａ）に示したように一面側に画像を記憶するメモリカードなどを収容するメモリスロット３０１を、他面側に図６（Ｂ）のように偏平型のバッテリー３０２を配したメイン基板３００を配して図７（Ｂ）のように積み重ね、さらにメイン基板３００の下側に配したバッテリー３０２の横に、図６（Ａ）、図７（Ａ）に示したように撮像部１０１を制御するサブ基板３０３を配してある。
【００２７】
また、操作部１０２の下カバー３０８には図８に示したように、略中央部の上下方向（撮像部１０１におけるレンズ系の光軸方向）にメイン基板３００を支えるための上下方向リブ３１２が設けられ、上カバー３０７には図９に示したように、表示装置を露出させるための開口３１４の表示装置受け３１５部分に、メイン基板３００を上から押さえるための左右方向リブ３１２が設けられている。
【００２８】
そしてこのうちメイン基板３００は、下側カバー３０８に設けられている図示していない一コーナー、または複数のコーナーに設けられた基板支持部で位置決め、支持され、さらに図８、図９に示した下カバー３０８に設けられた上下方向リブ３１２で支持されると共に、図７（Ｃ）に示したように、上側カバー３０７に設けられた支柱３０９（図７（Ｃ））と、下側カバー３０８に設けられた支柱３１０（図７（Ｃ）、図９）をメイン基板３００の略中央近辺に設けた孔３１１に通して挟み、さらに上カバー３０７に設けられた左右方向リブ３１３で挟まれて、筐体の撓みに対して遊動自在に支持できるようにしてある。すなわちメイン基板３００には、電子カメラ１００全体を制御するＣＰＵなどが実装されているが、本発明のように電子カメラ１００全体を薄型に構成し、かつ、前記したようにＹシャツの胸ポケットやＧパンの臀部ポケットなどに収容した場合、これら上カバー３０７と下カバー３０８で構成された筐体に大きな撓み力が加わる場合があると共に、例えば電子カメラを落下させるなどした場合は筐体が変形する場合がある。そのためＣＰＵなどを実装したメイン基板３００を筐体にネジなどで固定すると、撓み力が加わったり筐体が変形した際、メイン基板３００が撓み、最悪の場合、実装したＣＰＵなどが剥がれてしまうという事故が生じる。そのため本発明においては、このようにメイン基板３００をコーナーで位置決め、支持だけして略中央部分を支柱３０９、３１０で挟み、また、下カバー３０８に設けられた上下方向リブ３１２、上カバー３０７に設けられた左右方向リブ３１３で挟むことにより、筐体が撓んでも、その力を逃がすことができるようにしたものである。
【００２９】
このように、電子カメラ１００に於ける操作部１０２の筐体を上下のカバー３０７、３０８で構成し、一面にメモリスロット３０１を、他面に偏平型の電池収納部３０２を配したメイン基板３００を、カバー３０７、３０８における一コーナー、または複数のコーナーに設けた基板支持部で支持し、メイン基板３００のメモリスロット３０１側に前記表示装置１０５を配すると共に、電池収納部３０２側の側部に前記撮像部の制御基板３０３を配することにより、操作部１０２は、表示装置１０５、メモリスロット３０１と電池収納部３０２を表裏に配したメイン基板３００の厚さを加え合わせた厚さとすることができ、Ｙシャツの胸ポケットやＧパンの臀部ポケットなどに収容できる薄さを有した電子カメラを提供することができる。
【００３０】
また、前記筐体を構成する上カバー３０７、または下カバー３０８のいずれか、または両者における略中央部に前記メイン基板を支える支柱３０９、３１０を設け、筐体の撓みに対してメイン基板３００を遊動自在に支持するようにしたから、例えば電子カメラ１００を落下させるなどして筐体が一時的に変形してもメイン基板３００が変形することはなく、従って、メイン基板にＣＰＵなどを実装していてもそれらが剥離するといった事故は防止できる。
【００３１】
そして、前記筐体を構成する上下カバーのどちらかに、撮像部における光学系光軸方向のリブを、また他方のカバーに光軸方向と直角方向のリブを設け、前記光軸方向リブと直角方向リブで前記メイン基板を挟んで遊動自在に支持したことにより、例えば電子カメラを落下させるなどして筐体が一時的に変形してもメイン基板が変形することはなく、従って、メイン基板にＣＰＵなどを実装していてもそれらが剥離するといった事故は防止できる。
【００３２】
また、前記筐体を構成する上カバー３０７における撮像部１０１側に前記表示装置１０５用の開口を設け、その表示装置１０５用開口における操作部１０２とは逆側に操作釦類を取り付けたことにより、例えば操作部１０２を右手で保持したとき、表示装置１０５を右手で遮ることなく操作釦類を操作することができる。
【００３３】
また、前記操作部１０２における操作釦類を、筐体平面から突出しないように構成したことにより、前記したようにＹシャツの胸ポケットやＧパンの臀部ポケットなどに収容しても、操作釦類がこれらＹシャツの胸ポケットやＧパンの臀部ポケットなどにひっかかることなくスムーズに出し入れができる電子カメラ１００を提供することができる。
【００３４】
【発明の効果】
以上記載の如く本発明によれば、電子カメラに於ける操作部の筐体を上下のカバーで構成し、一面にメモリスロットを、他面に偏平型の電池収納部を配したメイン基板を、カバーにおける一コーナー、または複数のコーナーに設けた基板支持部で支持し、メイン基板のメモリスロット側に前記表示装置を配すると共に、電池収納部側の側部に前記撮像部の制御基板を配することにより、操作部は、表示装置、メモリスロットと電池収納部を表裏に配したメイン基板の厚さを加え合わせた厚さとすることができ、Ｙシャツの胸ポケットやＧパンの臀部ポケットなどに収容できる薄さを有した電子カメラを提供することができる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【図５】本発明になる電子カメラ１００の操作部１０２のカバーを取り除いて内部のデバイスの収容状態と、撮像部１０１における発光装置とコンデンサ、ＣＣＤなどの撮像デバイスなどを示した斜視図である。
【図６】本発明になる電子カメラ１００の一実施形態における操作部１０２のカバーを取り除き、（Ａ）はさらに表示装置１０５を取り除いた斜視図、（Ｂ）は裏面から見た斜視図である。
【図７】本発明になる電子カメラ１００の一実施形態における操作部１０２のカバーを取り除き、（Ａ）は図５における手前側から見た図、（Ｂ）は同じく図５における左サイドから見た図、（Ｃ）は図７（Ｂ）と同じく図５における左サイドから見た断面図である。
【図８】撮像部１０１と操作部１０２のヒンジ機構による接続部と下カバー３０８の構造を一部破断して示した図である。
【図９】操作部１０２におけるメイン基板３００の支持部の構造を説明するための一部破断図である。
【符号の説明】
１０２  操作部
１０５  表示装置
１１４  スピーカ
３００  メイン基板
３０１  メモリスロット
３０２  バッテリー
３０３  サブ基板
３０７  上カバー
３０８  下カバー
３０９  支柱
３１０  支柱
【図１】
2005020470.tif 000003
【図２】
2005020470.tif 000004
【図３】
2005020470.tif 000005
【図４】
2005020470.tif 000006
【図５】
2005020470.tif 000007
【図６】
2005020470.tif 000008
【図７】
2005020470.tif 000009
【図８】
2005020470.tif 000010
【図９】
2005020470.tif 000011